(57)【要約】【課題】  本発明は、鏡面部が支持体に対して回動可能であり、簡単な構造で鏡面部を立てた状態に確実に支持することを課題とする。さらには、手に持って使用するときに手に持ちやすい形態にすることができることを課題とする。【解決手段】  鏡面部を有する本体と、該本体を支持する支持体と、本体と支持体とを連結する連結部材と、を含み、連結部材が第一の回動軸線を中心に支持体に対して回動可能となるように支持体と連結部材が結合され、連結部材が第二の回動軸線を中心に本体に対して回動可能となるように本体と連結部材が結合され、本体又は支持体の一方に開口部が設けられ、その一方を通る回動軸線を中心に前記連結部材を回動させることにより、連結部材を前記開口部に回し入れることができるように開口部が形成され、連結部材と共に開口部に差し入れた本体又は支持体が開口部の縁に当接することにより本体が支持される。【選択図】  図１
2006280773.tif 000002
【特許請求の範囲】
【請求項１】
鏡面部を有する本体と、該本体を支持する支持体と、本体と支持体とを連結する連結部材と、を含み、連結部材が第一の回動軸線を中心に支持体に対して回動可能となるように支持体と連結部材が結合され、連結部材が第二の回動軸線を中心に本体に対して回動可能となるように本体と連結部材が結合され、本体又は支持体の一方に開口部が設けられ、その一方を通る回動軸線を中心に前記連結部材を回動させることにより、連結部材を前記開口部に回し入れることができるように開口部が形成され、連結部材と共に開口部に差し入れた本体又は支持体が開口部の縁に当接することにより本体が支持されることを特徴とする鏡。
【請求項２】
本体又は支持体に当接した開口部の縁をその当接位置で係止するための手段が設けられている請求項１記載の鏡。
【請求項３】
係止するための手段が複数の位置に設けられ、開口部の縁はそれら複数の異なる位置で係止される請求項２記載の鏡。
【請求項４】
支持体の基部と連結部材が結合され、且つ本体の基部と連結部材が結合され、支持体は鏡の蓋である請求項１乃至請求項３記載の鏡。
【請求項５】
鏡面部を有する本体と、蓋と、連結部材とを含み、連結部材は結合部を中心に蓋に対して回動可能となるように蓋の基部と結合し、且つ、連結部材は結合部を中心に本体に対して回動可能となるように本体の基部と結合していることを特徴とする鏡。
【発明の詳細な説明】
【技術分野】
【０００１】
本発明は、化粧等の際に使用する鏡に関する。
【背景技術】
【０００２】
従来から、鏡面部と支持台の間に連結部材を介在させ、折り畳むことができる鏡は存在する（例えば、特許文献１参照。）。
【特許文献１】実開平５−４６３７４号公報
【発明の開示】
【発明が解決しようとする課題】
【０００３】
本発明は、鏡面部が支持体に対して回動可能であり、簡単な構造で鏡面部を立てた状態に確実に支持することを課題とする。さらには、手に持って使用するときに手に持ちやすい形態にすることができることを課題とする。
【０００４】
特許文献１の鏡は、支持台と連結部材を軸ピンで回動可能に結合し、鏡面部と連結部材を軸ピンで結合した構造である。使用時には、連結部材を斜めの状態に保つことによって鏡面部を起立して使用する。したがって、鏡面部を起立した状態に保つためには軸ピンをきつく締め付けて、軸ピンと軸受部とを圧接して大きな摩擦力を生じさせる必要がある。鏡はガラス製であってあまり薄くすると割れてしまうから一定の厚みが必要であり、かなりの重量となる。また、特許文献１の図１から明らかなように、支持台との結合部材である軸ピン９を中心として連結部材がモーメントの腕として作用し、鏡面部の重力によるモーメントが軸ピンに作用する。連結部材は一定の長さを有しているからそのモーメントは大きなものになる。そして、このモーメントに対抗できる摩擦力を軸ピンで得るためには、軸ピンを強力に締め付けなければならない。そのように強力に締め付けると軸ピン及び軸受は摩擦による磨耗が激しく、ある程度使用していると結合部分が緩んで鏡面部を支持できなくなるのである。特許文献１の図１のように、いつも軸ピンの摩擦力で回動を止めておくことができればよいのであるが、実際にはある程度の期間が経過すると鏡の重さで連結部材が回動して鏡が下降してしまうのである。連結部材を固定する軸ピンは直径の小さな断面円形の軸である。比較的大きなモーメントをこのような軸ピンで抑えることは短期間の使用は耐えることが可能である。しかし、ある程度の期間が経過して軸ピンと軸受で何度も摩擦させれば、その部分が磨耗してバカになるのである。そこで本発明は、特許文献１のように軸ピンの摩擦力を使用することなく、簡単な構造で鏡面部を確実に支持することができる鏡を提供することを目的とする。
【課題を解決するための手段】
【０００５】
本発明の請求項１は、鏡面部を有する本体と、該本体を支持する支持体と、本体と支持体とを連結する連結部材と、を含み、連結部材が第一の回動軸線を中心に支持体に対して回動可能となるように支持体と連結部材が結合され、連結部材が第二の回動軸線を中心に本体に対して回動可能となるように本体と連結部材が結合され、本体又は支持体の一方に開口部が設けられ、その一方を通る回動軸線を中心に前記連結部材を回動させることにより、連結部材を前記開口部に回し入れることができるように開口部が形成され、連結部材と共に開口部に差し入れた本体又は支持体が開口部の縁に当接することにより本体が支持される構成である。
【０００６】
請求項２は、本体又は支持体に当接した開口部の縁をその当接位置で係止するための手段が設けられている要素が請求項１に付加された構成である。
【０００７】
請求項３は、係止するための手段が複数の位置に設けられ、開口部の縁はそれら複数の異なる位置で係止される要素が請求項２に付加された構成である。
【０００８】
請求項４は、支持体の基部と連結部材が結合され、且つ本体の基部と連結部材が結合され、支持体は鏡の蓋である要素が請求項１乃至請求項３に付加された構成である。
【０００９】
請求項５は、鏡面部を有する本体と、蓋と、連結部材とを含み、連結部材は結合部を中心に蓋に対して回動可能となるように蓋の基部と結合し、且つ、連結部材は結合部を中心に本体に対して回動可能となるように本体の基部と結合している構成である。
【発明の効果】
【００１０】
請求項１は、連結部材が第一の回動軸線を中心に支持体に対して回動可能となるように支持体と連結部材が結合され、連結部材が第二の回動軸線を中心に本体に対して回動可能となるように本体と連結部材が結合され、本体又は支持体の一方に開口部が設けられ、その一方を通る回動軸線を中心に前記連結部材を回動させることにより、連結部材を前記開口部に回し入れることができるように開口部が形成され、連結部材と共に開口部に差し入れた本体又は支持体が開口部の縁に当接することにより本体が支持される構成である。連結部材と共に本体又は支持体中の連結部材に隣接する部分を開口部に差し入れてから、その差し入れた本体又は支持体を開口部の縁に当接すると、本体又は支持体の回動は開口部の縁に規制されてそれ以上回動しない。この回動しないことが本体を支持する要因である。開口部が本体に設けられているときは、連結部材と支持体を鏡面部の反対側から開口部に回し入れ差し入れる。開口部が支持体に設けられているときは、本体の鏡面部が開口部の縁に対向せず反対側を向くようにして回し入れ差し入れる。そして、その状態で支持体をテーブル等の上に置くことにより、本体を立てた状態で支持することができる。そのときに鏡面部はほぼ垂直であるか又は斜め上方を向くのでスタンド鏡として使用することができる。
【００１１】
請求項２は、本体又は支持体に当接した開口部の縁をその当接位置で係止するための手段が設けられている構成である。当接位置には鏡面部の重力が作用しているので摩擦力が生じる。したがって、特別に係止手段を設けなくても当接位置で滑りが生じて鏡面部の傾斜角度が小さくなるように動いてしまうという心配は少ない。しかし、当接位置に化粧クリーム等が残っているときは滑ってしまう虞もある。そこで、開口部の縁をその当接位置で係止するための手段を設けることによって、鏡面部を確実に固定することができる。
【００１２】
請求項３は、係止するための手段が複数の位置に設けられ、開口部の縁はそれら複数の異なる位置で係止される構成である。したがって、開口部の縁を複数の異なる位置で係止することにより、鏡面部の傾斜角度を変えて使用することができる。
【００１３】
請求項４は、支持体の基部と連結部材が結合され、且つ本体の基部と連結部材が結合され、支持体は鏡の蓋である構成である。すなわち、連結部材は鏡の端部に存在する。したがって、支持体が鏡面部を全面的に覆うことができる大きさとすれば、支持体を鏡の蓋として使用することができる。また、支持体を蓋として使用しその蓋を閉じたときには、連結部材も本体に対して回動することによって開口部に回し入れられて開口部にもぐり込む。連結部材が開口部にもぐり込むことによって連結部材の２つの回動軸線を垂直に結ぶ直線は、蓋の長さ方向とほぼ一致する。これにより、蓋が折り畳まれると共に連結部材も折り畳まれることになる。連結部材と蓋が折り畳まれることにより、連結部材と蓋が一つの平面を形成するから連結部材が張り出さず鏡を薄くして畳むことができる。さらに、使用に当たっては開口部を利用して請求項１の効果に述べたようにスタンド鏡として使用することができることは勿論であるが、手に持って使用することもできる。その際、鏡面部を覆っている蓋を開くと、折り畳まれていた連結部材も本体に対して回動し鏡面部の後ろ側まで回動させることができる。そして、連結部材を鏡面部の後ろ側まで回動させると共に、蓋も鏡面部の後ろ側に反転させると蓋は３６０度反転し、蓋を鏡面部の後ろ側の面である本体後面部に密接させることができる。これにより、鏡は薄くなるので手に持ちやすくなるという効果を奏する。
【００１４】
請求項５は、鏡面部を有する本体と、蓋と、連結部材とを含み、連結部材は結合部を中心に蓋に対して回動可能となるように蓋の基部と結合し、且つ、連結部材は結合部を中心に本体に対して回動可能となるように本体の基部と結合している構成である。鏡面部を覆っている蓋を開いて蓋を鏡面部の後ろ側に回動すると、連結部材も本体に対して回動し鏡面部の後ろ側まで回動させることができる。そして、連結部材が鏡面部の後ろ側に回動することにより蓋と連結部材の回動軸線も鏡面部の後ろ側に移動する。これにより、蓋は３６０度反転し、蓋を鏡面部の後ろ側の面である本体後面部に密接させることができる。本体と蓋が密接すれば鏡は薄くなるので手に持ちやすくなるという効果を奏する。また、従来品の中には連結部材が存在せず、蓋と本体が直接的に軸で結合されて蓋の反転する角度が３００度程度であるものが存在する。このような従来品は、蓋を反転可能な角度一杯に反転させた場合に、さらにその反転方向の力や衝撃が蓋に加わったときは、蓋と本体を回動可能に結合する軸が折れてしまい使用不能になる虞があった。請求項５の発明では従来品よりも大きな角度で反転し、蓋が本体にほぼ重なるまで反転するので軸を折る虞がない。
【発明を実施するための最良の形態】
【００１５】
次に本発明を実施するための形態について説明する。図２は、本体１と蓋２と連結部材３とが一平面をなすように展開した状態を示したものである。この状態は使用状態ではなく蓋を閉じた状態でもなく、本体１と蓋２と連結部材３の結合関係を明らかにするための図である。
【００１６】
本体１は矩形の背板部５とその背板部５に隣接する開口部６を有する。背板部５はプラスチック製であるが、これ以外の材料であっても差し支えない。開口部６は本体１の基部に存在する。開口部６の両側を囲む突出部８，８が背板部５の両側から延びている。背板部５の両側に側壁７，７が一体に形成されており、この側壁７，７は突出部８，８と一体に連続している。背板部５には開口部６との境に沿って端壁９が一体に形成されている。また、背板部５の他方の端部に端壁１０が一体に形成されている。端壁９と他方の端部の端壁１０は高さが等しく形成されている。また、側壁７，７は両端壁９，１０よりも高く形成されている。側壁７，７と端壁９，１０に囲まれた部分に鏡面部４が固着されている。鏡面部４はガラス製であり、鏡面部４の厚みは両端壁９，１０の高さとほぼ等しいか、あるいは両端壁９，１０の高さよりもわずかに小さい。図８に示すように両突出部８，８の端部付近に内向きのジャーナル軸１１，１１が設けられている。このジャーナル軸１１，１１は、連結部材３と回動可能にジャーナル結合するために設けられている。
【００１７】
図２に示すように連結部材３は本体１と蓋２を連結するための部材である。図９乃至図１１は連結部材３を示す図面である。連結部材３は軸棒１２の両端に一対の突部１３，１３が一体に形成されている。軸棒１２の両側に軸孔１４，１４が設けられている。この軸孔１４，１４は前述したジャーナル軸１１，１１とジャーナル結合する。また、突部１３，１３にも軸孔１５，１５が設けられている。この軸孔１５，１５は蓋２と回動可能にジャーナル結合するために設けられている。図１に示すように、連結部材３と蓋２は結合しているが、仮に連結部材３から蓋２を取り外したときは、連結部材３は本体１のジャーナル軸１１，１１を中心に回動し、連結部材３は開口部６内に回し入れることが可能で、連結部材３は３６０度回動する。しかし、実際には蓋２が連結部材３に結合されているので連結部材３の回動は規制される。なお、ジャーナル結合するジャーナル軸と軸孔は雌雄反対に設けられても差し支えない。
【００１８】
図２に示すように蓋２は矩形に形成され連結部材３と結合している。図８はこの結合状態を示したものである。蓋２はプラスチックで一体に形成され、その基部１６の両側にジャーナル軸１７，１７が設けられている。このジャーナル軸１７，１７と前述した連結部材３の軸孔１５，１５がジャーナル結合している。図３乃至図５に示すように、蓋２の表面１８の両側で基部１６寄りの部分にそれぞれ３個ずつの溝１９が設けられている。これらの溝１９は後述するように使用時における本体１を立った状態で支持し、必要に応じて本体１の角度を変更して使用するためのものである。蓋２の材料はプラスチックに限定されるものでなく他の材料であってもよい。また、本体１及び蓋２は矩形に限定されるものでなく、他の形状であってもよいことは勿論である。
【００１９】
図２に示すように、本体１と蓋２と連結部材３とが一平面をなすように展開した状態から、図６又は図７に示すように蓋２を閉じる方法について説明する。蓋２を閉じるときは、図５でジャーナル軸１７を中心に蓋２を反時計回りに回動させる。その回動と共に連結部材３もジャーナル軸１１を中心に反時計回りに回動させる。図５及び蓋２を閉じた状態の図７から明らかなように、連結部材３がジャーナル軸１１を中心に反時計回りに回動すると、連結部材３はジャーナル軸１１を中心に１８０度回動して開口部６の中に回し入れられる。連結部材３の回動と共に蓋２も回動して両側壁７，７の間に閉じられる。図７は、連結部材３を開口部６の中に回し入れて蓋２を閉じた状態を示したものである。図２に示したような状態、すなわち蓋２と連結部材３とが一平面をなした状態から、ジャーナル軸１１を中心に蓋２と連結部材３を一体的に１８０度回動させると図７のように、連結部材３は１８０度回動し、蓋２は鏡面部４を全面的に覆う。実際に蓋２と連結部材３を回動したときは一体的に回動することはないが、結果的には図７の状態のように蓋２は閉じられる。ここで、前述したように連結部材３はジャーナル軸１１を中心に１８０度回動して開口部６の中に回し入れられるから、図７に示したように連結部材３が鏡の表面から突き出ることがなく、携帯に便利である。なお、図６に示す蓋２を閉じたときの鏡のサイズは、上下の長さが約１００ｍｍであり左右の幅が約９５ｍｍであり、厚さは約６ｍｍであるがこの数値に限定されないことは勿論である。また、蓋２を透明にすれば、蓋２を閉じたときにも鏡として使用することができる。さらに、鏡面部４のほかに蓋２の表面１８又は内面、あるいは本体１の表面に鏡面部を設けてもよい。蓋２を閉じた図７の状態から、ジャーナル軸１１を中心に連結部材３を時計回りに１８０度近く反転させることができる。そうすることにより、蓋２は図７の状態からほぼ垂直に上昇する。蓋２が上昇するとその上昇した分だけ鏡面部４が現れるので、その現れた鏡面部４を使用することができる。鏡面部４が全面的に現れないので周囲の視線が気になるときでも目立たずに使用することができる。同じく、図７の状態からジャーナル軸１７を中心に蓋２を時計回りに４５度程度回動し、次いで連結部材３の回動と共に蓋２の基部１６を開口部６内に差し入れる。これにより、蓋２は上昇して鏡面部４がその上昇した分だけ現れるので、前述の使用方法と同様にその現れた鏡面部４で目立たずに使用できる。
【００２０】
蓋２を閉じた図７の状態から、蓋２を連結部材３と共に時計回りにほぼ３６０度回動すると、図１２に示すように蓋の表面１８は本体の背板部５に密接させることができる。したがって、鏡を手に持って使用するときに鏡が薄い板状であるから持ち易いという効果を奏する。この際、蓋２は本体の背板部５に密接しているので、蓋２は開口部６に差し入れることができない。蓋２が開口部６に差し入れることができなければ、それと結合する連結部材３も開口部６に回し入れることができない。したがって、図１２に示すように鏡を持って使用するときには連結部材３は鏡から張り出すが、その張り出し度はわずかであって使用するについて不都合はない。なお、鏡を立てるための構造を備えずに、図１２に示すように蓋２を反転させて本体１と蓋２を密接させ手に持って使用するだけのものであるときは、本体１と連結部材３と蓋２の結合はジャーナル結合以外にヒンジ結合であってもよい。
【００２１】
次に、図１２に示すように蓋の表面１８を本体の背板部５に密接させた状態から、図１のように本体１を立てた状態にする方法について説明する。図１２の状態から、まず蓋２をジャーナル軸１７を中心に反時計回りに回動し、水平状態にする。それから、その水平状態の蓋２を左方向にほぼ水平に移動させる。蓋２の移動に伴って連結部材３はジャーナル軸１１を中心に振り子のように時計回りに回動し、開口部６に回し入れられて鏡面部４側に突出する。このとき、蓋２の基部１６も開口部６に入り込んで鏡面部４側に突出する。次いで、蓋２のいずれかの溝１９を開口部６の端縁２０に宛がい、図１に示すように蓋２をテーブル上面２１に横にして鏡を立てることによって安定的に使用することができる。図１は、開口部６の端縁２０を中央の溝１９に宛がった状態を示しているが、この左側の溝１９に端縁２０を宛がうと鏡面部４の傾斜角度は小さくなる。右側の溝１９に端縁２０を宛がうと鏡面部４の傾斜角度は図１よりも大きくなる。端縁２０と蓋２との摩擦力が大きければ溝１９を設けなくてもよい。鏡は図１のように立てなくてもよく、図１３のように蓋２を横にしないで本体１と共に斜めに立てて使用することもできる。但し、図１３のように蓋をテーブル上面２１に立てると蓋２及び本体１の先端がテーブル上面２１を滑って蓋２と本体１が開いてテーブル上面２１の上に鏡が寝てしまうこともあるので、蓋２と本体１の先端にエラストマー２２のように摩擦力の大きな滑り防止手段を設けることが好ましい。なお、図１に示すように蓋２をテーブル上面２１に横にして鏡を立てるときに、蓋２の溝１９を宛がう場所は開口部６の端縁２０に限定されるものではない。例えば、開口部６の側縁に突起を設け、溝１９をその突起に宛がって係止してもよい。また、溝１９を設けずに蓋２を突起に宛がってもよい。
【図面の簡単な説明】
【００２２】
【図１】本発明の使用状態を示す断面図
【図２】本発明を展開した斜視図
【図３】展開した本発明を鏡面部と反対側から見た図
【図４】図３の左側面図
【図５】図３のＡ−Ａ断面図
【図６】本発明の蓋を閉じた状態図
【図７】図６のＢ−Ｂ断面図
【図８】本体と連結部材と蓋の結合状態を示す一部断面図
【図９】連結部材の正面図
【図１０】図９の右側面図又は左側面図
【図１１】図１０のＣ−Ｃ断面図
【図１２】蓋の表面を本体の背板部に密接させた状態を示す断面図
【図１３】本発明の他の方法で立てた状態を示す断面図
【符号の説明】
【００２３】
１  本体
２  蓋
３  連結部材
４  鏡面部
５  背板部
６  開口部
７  側壁
８  突出部
９  端壁
１０  端壁
１１  ジャーナル軸
１２  軸棒
１３  突部
１４  軸孔
１５  軸孔
１６  基部
１７  ジャーナル軸
１８  蓋の表面
１９  溝
２０  端縁
２１  テーブル表面
２２  エラストマー
【図１】
2006280773.tif 000003
【図２】
2006280773.tif 000004
【図３】
2006280773.tif 000005
【図４】
2006280773.tif 000006
【図５】
2006280773.tif 000007
【図６】
2006280773.tif 000008
【図７】
2006280773.tif 000009
【図８】
2006280773.tif 000010
【図９】
2006280773.tif 000011
【図１０】
2006280773.tif 000012
【図１１】
2006280773.tif 000013
【図１２】
2006280773.tif 000014
【図１３】
2006280773.tif 000015